(57)【特許請求の範囲】
【請求項１】
内蔵の記憶手段と、
データを処理する信号処理手段と、
外部機器と接続するための入出力インタフェースと、
前記信号処理手段と前記記憶手段、あるいは前記入出力インタフェースと前記記憶手段を選択的に接続する切替手段と、
前記記憶手段が正常動作状態では、前記入出力インタフェースの設定状態に応じて前記切替手段を制御して、前記入出力インタフェースを有効状態または無効状態とするとともに、前記入出力インタフェースが無効状態では前記信号処理手段と前記記憶手段を接続し、前記記憶手段が異常動作状態では、前記切替手段を制御して、前記入出力インタフェースを自動的に有効状態とするとともに、前記入出力インタフェースと前記記憶手段とを自動的に接続して前記記憶手段を外部機器から外部記憶装置として認識させる制御手段と、
を有することを特徴とする記録再生装置。
【請求項２】
請求項１記載の装置において、
前記記憶手段は、ハードディスクあるいは半導体メモリあるいは光ディスクであることを特徴とする記録再生装置。
【請求項３】
請求項１記載の装置において、
前記入出力インタフェースは、ＵＳＢであることを特徴とする記録再生装置。
【発明の詳細な説明】
【技術分野】
【０００１】
本発明は、ハードディスクや光ディスク、半導体メモリ等の記録媒体を備えた記録再生装置に関する。
【背景技術】
【０００２】
従来、ハードディスクドライブ等を内蔵した記録再生装置が故障した場合、あるいは故障した可能性がある場合、記録再生装置を分解した上でハードディスクドライブ等を取り出し、別の検査環境等に接続した上でハードディスクドライブ等の動作状況や故障原因の特定につながる情報の収集、記録されているデータの確認等を行う必要がある。
【０００３】
また、下記の特許文献１には、着脱不可能なハードディスクドライブが内蔵されている記録再生装置において、ハードディスクドライブに記録された信号の記録状態情報が正常か異常かを判定し、異常判定された場合に、通信回線を介して工場に記録状態情報を送信することにより、工場側で記録状態情報を解析し、修復情報を工場側から記録再生装置に送信することが開示されている。
【０００４】
【特許文献１】特開２００６−２９３８１２号公報
【発明の開示】
【発明が解決しようとする課題】
【０００５】
しかしながら、ハードディスクドライブのような精密部品を取り外す際の機器の分解は、ある程度熟練を要する人により実施する必要があり、これに伴う手間はコストとして保守費用の増大につながる。また、ハードディスクドライブのような精密部品を検査環境に接続し検査する手間も、故障の種類にかかわらずある程度必要であり、検査等に要する費用や期間も大きな負担となる。また、機器を分解し、ハードディスクドライブを取り外す際には、一般的に機器の電源をＯＦＦにする必要があるが、一時的な原因により異常現象が発生している場合には、電源をＯＦＦにすることで異常現象が再現されず、原因の特定が困難になる問題もある。
【０００６】
また、上記の特許文献１に開示の技術では、ハードディスクドライブに障害が発生すると、通信回線（インターネット）を介して工場（メーカのサポートセンタ）にエラー情報を送信し、工場側から修復情報を取得してエラー回復を図るものであるが、常に外部の通信回線と接続しておかなければならない煩わしさがある。また、工場側が修復情報（修復プログラム）を供給するシステムであり、ユーザ側でハードディスクドライブの状態を直接確認することができないため、修復時に大事なデータを失ってしまうおそれがある。
【０００７】
本発明の目的は、機器の内蔵記憶装置に異常が発生した場合にユーザ側で簡易に異常診断を行うことができる装置を提供することにある。
【課題を解決するための手段】
【０００８】
本発明は、内蔵の記憶手段と、データを処理する信号処理手段と、外部機器と接続するための入出力インタフェースと、前記信号処理手段と前記記憶手段、あるいは前記入出力インタフェースと前記記憶手段を選択的に接続する切替手段と、前記記憶手段が正常動作状態では、前記入出力インタフェースの設定状態に応じて前記切替手段を制御して、前記入出力インタフェースを有効状態または無効状態とするとともに、前記入出力インタフェースが無効状態では前記信号処理手段と前記記憶手段を接続し、前記記憶手段が異常動作状態では、前記切替手段を制御して、前記入出力インタフェースを自動的に有効状態とするとともに、前記入出力インタフェースと前記記憶手段とを自動的に接続して前記記憶手段を外部機器から外部記憶装置として認識させる制御手段とを有することを特徴とする。
【０００９】
本発明の１つの実施形態では、前記記憶手段は、ハードディスクあるいは半導体メモリあるいは光ディスクである。
【００１０】
本発明の他の実施形態では、前記入出力インタフェースは、ＵＳＢである。
【発明の効果】
【００１１】
本発明によれば、機器の内蔵記憶装置に異常が発生した場合でも、ユーザ側で簡易に異常診断、あるいは修復を行うことができる。
【発明を実施するための最良の形態】
【００１２】
以下、図面に基づき本発明の実施形態について説明する。
【００１３】
図１に、本実施形態における記録再生装置の構成ブロック図を示す。記録再生装置は、例えば音楽データを所定フォーマット（ＭＰ３等）で記録するデータレコーダである。記録再生装置は、信号処理デバイス１０、信号経路切替機構１２、内蔵記憶装置としてのハードディスクドライブ（ＨＤＤ）１４、マイコン１６、ＵＳＢインタフェースデバイス１８及びＵＳＢ端子２０を有して構成される。
【００１４】
信号処理デバイス１０は、ＤＳＰ（デジタルシグナルプロセッサ）で構成され、図示しない外部入力端子から入力された音楽データのエンコード／デコード処理、圧縮／伸長処理、ミキシング処理、エフェクト処理等の各種処理を実行する。
【００１５】
ハードディスクドライブ（ＨＤＤ）１４は、信号経路切替機構１２を介して信号処理デバイス１０に接続され、信号処理デバイス１０で信号処理された音楽データを記憶する。また、再生時には、ハードディスクドライブ（ＨＤＤ）１４に記憶された音楽データが読み出されて信号経路切替機構１２を介して信号処理デバイス１０に供給される。
【００１６】
ＵＳＢインタフェースデバイス１８は、ＵＳＢ端子２０を介して接続された外部機器とのデータ送受を行う。ＵＳＢインタフェース１８は、信号経路切替機構１２を介してハードディスクドライブ（ＨＤＤ）１４に接続される。
【００１７】
信号経路切替機構１２は、ＭＯＳＦＥＴ等の半導体スイッチ回路から構成され、マイコン１６からの制御信号に応じて信号経路を切り替える。信号経路切替機構１２は、機器の正常動作時には信号処理デバイス１０とハードディスクドライブ（ＨＤＤ）１４とをデータ線１００で接続し、機器の異常動作時にはＵＳＢインタフェースデバイス１８とハードディスクドライブ（ＨＤＤ）１４とをデータ線１００で接続するように信号経路を切り替える。また、信号経路切替機構１２は、機器の正常動作時であってもユーザからの操作に応じてＵＳＢインタフェースデバイス１８とハードディスクドライブ（ＨＤＤ）１４とを接続するように信号経路を切り替える。
【００１８】
マイコン１６は、機器が正常動作状態にあるか異常動作状態にあるかを判定し、判定結果に応じて制御線２００を介して信号経路切替機構１２に制御信号を出力し、信号経路切替機構１２の切替動作を制御する。また、判定結果に応じて制御線２００を介してＵＳＢインタフェースデバイス１８のＯＮ／ＯＦＦ動作を制御する。マイコン１６は、例えば、起動時あるいは随時のタイミングでハードディスクドライブ（ＨＤＤ）１４に対してコマンドを送信し、ハードディスクドライブ（ＨＤＤ）１４からの応答信号を受信するが、ハードディスクドライブ（ＨＤＤ）からの応答（無応答も含めて）によりハードディスクドライブ（ＨＤＤ）が正常に動作しているか異常状態にあるかを判定する。
【００１９】
信号処理デバイス１０、信号経路切替機構１２、マイコン１６、ＵＳＢインタフェースデバイス１８が一体としてＩＣ化されていてもよい。
【００２０】
図２に、信号経路切替機構１２の切替動作を模式的に示す。機器が正常動作状態にある場合、マイコン１６は信号経路切替機構１２のスイッチＳＷをａ接点側に切り替える。これにより、信号処理デバイス１０とハードディスクドライブ（ＨＤＤ）１４とが接続される。図３に、このときの回路構成を示す。信号処理デバイス１０とハードディスクドライブ（ＨＤＤ）１４が接続され、図示しない入力端子から入力された音楽データは信号処理デバイス１０で各種処理が施され、ハードディスクドライブ（ＨＤＤ）１４に記録される。あるいは、ハードディスクドライブ（ＨＤＤ）に記録された音楽データが読み出されて信号処理デバイス１０に供給され、各種処理が施されて図示しない出力端子から出力される。一方、ＵＳＢインタフェースデバイス１８及びＵＳＢ端子２０は回路から切り離されており、音楽データの送受に関与しない。なお、マイコン１６はデフォルト状態ではスイッチＳＷの接点をａ側に切り替えており、かつ、ＵＳＢインタフェースデバイス１８の機能を無効化している。したがって、正常動作状態において、何らかの外部機器、例えばパソコン等を接続しても、パソコンはハードディスクドライブ（ＨＤＤ）１４を認識することはない。機器正常状態において、ユーザが機器の操作スイッチや操作ボタンを操作してＵＳＢ端子を有効に設定した場合、マイコン１６は信号経路切替機構１２のスイッチＳＷをｂ接点側に切り替えるとともに、ＵＳＢインタフェースデバイス１８の機能を有効にする。これにより、ＵＳＢインタフェースデバイス１８及びＵＳＢ端子２０の経路で外部機器とハードディスクドライブ（ＨＤＤ）１４が接続され、音楽データの送受が可能になる。
【００２１】
次に、機器が異常動作状態となった場合、マイコン１６はＵＳＢインタフェースデバイス１８を起動して有効とし、信号経路切替機構１２のスイッチＳＷをｂ接点側に切り替える。これにより、ＵＳＢ端子２０、ＵＳＢインタフェースデバイス１８とハードディスクドライブ（ＨＤＤ）１４とが接続される。図４に、このときの回路構成を示す。信号処理デバイス１０は回路から切り離される。マイコン１６は回路としては接続されているが、機能停止状態にある。ＵＳＢ端子２０に外部機器、例えばパソコン２２を接続することで、パソコン２２はＵＳＢインタフェースデバイス１８を介してハードディスクドライブ（ＨＤＤ）１４に接続されることとなり、パソコン２２はハードディスクドライブ（ＨＤＤ）１４をＵＳＢマスストレージクラスに準拠したＵＳＢマスストレージとして認識することができる。ＵＳＢマスストレージとして認識されたハードディスクドライブ（ＨＤＤ）１４は、パソコン２２から直接アクセスすることができ、ハードディスクドライブ（ＨＤＤ）１４の状況管理やデータの読み出し、イニシャライズ等の処理が可能である。なお、ＵＳＢマスストレージクラスとは、コンピュータのＵＳＢポートにフロッピー（登録商標）ディスクやハードディスク、メモリーカードなどの大容量記憶装置（マスストレージ）を接続するために定められた規格である。規格に準拠したＵＳＢ機器は、ポートに接続すると外部記憶装置として認識され、機器に付属する専用のアプリケーションプログラムだけでなく、汎用のＯＳを使い、通常のドラッグ＆ドロップ操作でデータをやり取りすることができる。
【００２２】
図４の状態は、機器が正常動作状態においてユーザの操作によりＵＳＢ端子を有効に設定した場合と同様である。すなわち、本実施形態では、マイコン１６が機器の異常を検出した場合に、ＵＳＢ端子を有効に設定するための機構を援用して自動的にＵＳＢ端子を有効に設定して外部のパソコン２２からのハードディスクドライブ（ＨＤＤ）１４へのアクセスを可能にするものということができる。
【００２３】
図５に、本実施形態の処理フローチャートを示す。機器の電源をＯＮすると、所定の起動処理を実行した後、正常動作状態に移行する（Ｓ１０１）。正常動作状態では、ユーザからの操作に応じて音楽データの録音や再生が実行される。ユーザの操作は録音ボタンの押下や再生ボタンの押下、楽曲データの選択等であり、音楽データは信号処理デバイス１０でエンコード処理され、ＭＰ３等のフォーマットに変換されてハードディスクドライブ（ＨＤＤ）１４に記憶される。ＭＰ３以外の他のフォーマットでもよい。正常動作を実行している間に、マイコン１６はユーザがＵＳＢを有効にする設定を行ったか否かを判定する（Ｓ１０２）。ＵＳＢを有効にする操作は、例えば階層メニューを用いた操作である。図６に、階層メニューの一例を示す。階層メニューは、ユーザの操作に応じて順次、表示装置に表示される。ユーザが、メニューを選択すると最初の階層のサブメニューが表示され、ＤＩＳＫを選択すると、次にＦＯＲＭＡＴやＵＳＢ  ＯＰＥＮ／ＣＬＯＳＥ等のサブメニューを含む下の階層が表示される。ユーザがＵＳＢ  ＯＰＥＮ／ＣＬＯＳＥメニューを選択するとＵＳＢを有効にする設定に移行する。
【００２４】
ユーザがＵＳＢを有効にする設定を行わない場合、マイコン１６はＵＳＢインタフェースデバイス１８をデフォルト状態（スイッチＳＷはａ接点側に接続）、つまり動作停止状態のまま維持する（Ｓ１０３）。ユーザがＵＳＢを有効にする設定を階層メニューを用いて行った場合、マイコン１６はＵＳＢインタフェースデバイス１８を起動させて有効にするとともに信号経路切替機構１２を制御して信号経路をＵＳＢ側（スイッチＳＷのｂ接点側）に切り替える（Ｓ１０４）。
【００２５】
以上の処理は、正常動作状態において繰り返し実行される。
【００２６】
一方、マイコン１６は割り込み処理等により、機器、より具体的には内蔵のハードディスクドライブ（ＨＤＤ）１４に異常があるか否かをハードディスクドライブ（ＨＤＤ）１４からのコマンド応答により判定する（Ｓ１０５）。異常がない場合には正常動作状態を維持する。ハードディスクドライブ（ＨＤＤ）１４からの応答がない、あるいはデータを読み出せない等の異常が発生した場合、マイコン１６はユーザの操作によらず、自動的に信号経路切替機構１２に制御信号を出力してスイッチＳＷをｂ接点側に切り替えるとともに（Ｓ１０６）、ＵＳＢインタフェースデバイス１８を起動して有効とする（Ｓ１０７）。これにより、図４に示される回路状態となり、ユーザがＵＳＢ端子２０にパソコン２２を接続することで、ＵＳＢマスストレージとしてのハードディスクドライブ（ＨＤＤ）１４にアクセスすることができる。また、機器の表示装置（ＬＣＤ等）にエラーメッセージ及びＵＳＢが有効化されている旨を表示する（Ｓ１０８）。
【００２７】
パソコン２２を用いてハードディスクドライブ（ＨＤＤ）１４の異常診断を行い、あるいは修復作業を行った後、ユーザは機器の電源を一旦ＯＦＦとし、再度電源をＯＮする。すると、マイコン１６はＵＳＢインタフェースデバイス１８をデフォルト状態である無効状態とし、信号経路切替機構１２のスイッチＳＷをａ接点側（内部側）に切り替えて図３に示す回路状態に復帰する。
【００２８】
このように、本実施形態では、機器に異常が生じた場合、マイコン１６が自動的に信号経路を切り替えてハードディスクドライブ（ＨＤＤ）１４をＵＳＢマスストレージとして認識可能な状態に移行させるので、ユーザは機器に異常が生じた場合に単に機器のＵＳＢ端子２０にパソコン２２を接続するだけで自己のパソコン２２からハードディスクドライブ（ＨＤＤ）１４にアクセスできる。したがって、本実施形態では、機器に異常が生じても、特定の検査環境に接続することなく、汎用性のあるパソコンに搭載されている汎用性のあるアプリケーションプログラムを用いてハードディスクドライブ（ＨＤＤ）１４からデータを読み出す、あるいはデータを書き込むことができ、動作不良の原因、あるいは原因を特定するための手かがりを容易に取得することが可能となる。また、ハードディスクドライブ（ＨＤＤ）１４に記録されているデータを書き換えることで、比較的容易に不具合を解消できる可能性も生じる。ユーザにとって極めて使い勝手のよい機器であるといえる。さらに、本実施形態では、通常動作時にはＵＳＢは無効化されており、所定の操作（階層メニューをたどって所定のメニューを選択するという操作）を行わないかぎりＵＳＢは無効のまま維持されるため、外部から不用意にハードディスクドライブ（ＨＤＤ）１４を操作される事態を防ぐことができ、データの機密性を維持することができる。
【００２９】
本実施形態では、ハードディスクドライブ（ＨＤＤ）１４を例にとり説明したが、フラッシュメモリ等の半導体メモリ、あるいは光ディスクを記録媒体に用いた光ディスクドライブでもよい。
【００３０】
また、本実施形態では、ＵＳＢを例にとり説明したが、他のインタフェース、例えばブルートゥース、ＩＥＥＥ１３９４、ＰＬＣ（電力線通信）等にも適用することができる。
【００３１】
また、ユーザによる通常の使用範囲において、外部機器との通信にＵＳＢマスストレージクラスを使用せず特殊なプロトコルを採用している場合、例えば機器を特定のｗｅｂサイトに接続して特定のプロトコルを用いて楽曲データをダウンロードするような場合において、故障を検知したときに限り、特殊なプロトコルによるデータ送受を中断して、汎用のＵＳＢマスストレージに切り替えることも好適である。本実施形態に適用する場合は、例えば階層メニューにＭｕｓｉｃ  Ｄｏｗｎｌｏａｄのサブメニューを用意し、これを選択した場合に、ＵＳＢインタフェースデバイス１８がダウンロードモード（特殊なプロトコルで動作する状態）で開放されることで、ＵＳＢ端子２０及びパソコン２２を介して特定のｗｅｂサイトに接続される。
【００３２】
また、本実施形態では、機器の異常あるいは故障を検出した場合に、マイコン１６が自動的にＵＳＢを有効にしてハードディスクドライブ（ＨＤＤ）１４をＵＳＢマスストレージとして認識可能な状態にしているが、異常あるいは故障を検出した場合に、ユーザからの操作をトリガとしてマイコン１６がＵＳＢを有効にしてもよい。例えば、特定のｗｅｂサイトに接続して特定のプロトコルを用いて楽曲データをダウンロードするような場合において故障を検知したときに、ユーザが機器の特定のボタンを操作することによりマイコン１６が特定のプロトコルによるデータ送受を中断して内蔵メモリをＵＳＢマスストレージとして認識可能な状態に移行してもよい。ユーザは、特殊なプロトコルを用いた楽曲データのダウンロードは不可能となっても、当該機器に既に記録されたデータをパソコンから読み出す等の操作を行うことが可能となる。
【図面の簡単な説明】
【００３３】
【図１】実施形態の構成ブロック図である。
【図２】信号経路切替機構の機能ブロック図である。
【図３】正常動作時の回路状態説明図である。
【図４】異常動作時の回路状態説明図である。
【図５】実施形態の処理フローチャートである。
【図６】階層メニューの一例を示す説明図である。
【符号の説明】
【００３４】
１０  信号処理デバイス、１２  信号経路切替機構、１４  ハードディスクドライブ（ＨＤＤ）、１６  マイコン、１８  ＵＳＢインタフェースデバイス、２０  ＵＳＢ端子。
【図１】
0005279410.tif 000002
【図２】
0005279410.tif 000003
【図３】
0005279410.tif 000004
【図４】
0005279410.tif 000005
【図５】
0005279410.tif 000006
【図６】
0005279410.tif 000007